(57)【要約】【課題】  ファインダスクリーンの中心と測光用の絞りとの位置精度の他に、測光レンズと測光用の絞りとの位置精度を高くすることで、測光光学系における光学性能を高性能に保持する。【解決手段】  対象からの光を測光する測光素子と、測光素子上に対象からの光を入射させる測光光学系と、測光光学系に入射する対象からの光を制限する絞り開口と、絞り開口の中心を測光光学系の光軸と一致させた状態で、測光素子、測光光学系及び絞り開口が一体に組み付けられた測光ユニットと、絞り開口の中心を回転中心として測光ユニットの傾きを調整する調整部材と、を備えたことを特徴とする。【選択図】    図２
2012002920.tif 000002
【特許請求の範囲】
【請求項１】
対象からの光を測光する測光素子と、
前記測光素子上に前記対象からの光を入射させる測光光学系と、
前記測光光学系に入射する前記対象からの光を制限する絞り開口と、
前記絞り開口の中心を前記測光光学系の光軸と一致させた状態で、前記測光素子、前記測光光学系及び前記絞り開口が一体に組み付けられた測光ユニットと、
前記絞り開口の中心を回転中心として前記測光ユニットの傾きを調整する調整部材と、
を備えたことを特徴とする測光装置。
【請求項２】
請求項１に記載の測光装置において、
前記測光ユニットは、前記絞り開口を有する鏡筒を備え、
前記測光光学系は、前記鏡筒により前記絞り開口との位置関係が保持されることを特徴とする測光装置。
【請求項３】
請求項１に記載の測光装置において、
前記絞り開口の中心は、前記調整部材による前記傾きの調整時における調整軸上に位置決めされていることを特徴とする測光装置。
【請求項４】
前記対象からの光を結像する撮像光学系と、
前記撮像光学系による像の光束を、前記測光光学系を介して前記測光素子上に再結像させる請求項１〜請求項３のいずれか１項に記載の測光装置と、
を備えたことを特徴とする撮像装置。
【請求項５】
請求項４に記載の撮像装置において、
前記測光素子は、複数の受光素子が二次元状に配列されており、
前記複数の受光素子のうちの一部を、前記測光ユニットにおける測光範囲として設定する設定手段を、さらに備えていることを特徴とする撮像装置。
【発明の詳細な説明】
【技術分野】
【０００１】
本発明は、ファインダスクリーンに結像した一次像を測光光学系により測光素子上に二次像として結像させて測光を行う測光装置及び撮像装置に関する。
【背景技術】
【０００２】
一眼レフタイプのカメラにおいては、測光素子と、この測光素子に結像される二次像との相対位置を合わせることで、適切な露出での画像を取得することが可能となる。この測光素子の位置を調整する方法としては、例えば測光レンズ（測光光学系）と測光素子とをホルダなどの保持部材に一体に保持させ、保持部材と保持部材が組み付けられるフレームとの相対位置（傾斜角度を含む）をネジ及びバネからなる調整部材により調整する方法が挙げられる（例えば特許文献１参照）。
【先行技術文献】
【特許文献】
【０００３】
【特許文献１】特開平０６−２６５９６６号公報
【発明の概要】
【発明が解決しようとする課題】
【０００４】
上述した測光素子を測光以外の用途に用いる場合、測光レンズと測光用の絞りとの位置精度や、ファインダスクリーンの中心と測光用の絞りとの位置精度が重要となる。しかしながら、測光用の絞りは保持部材に組み付けられていないことから、上述した調整部材を用いた調整方法では、ファインダスクリーンの中心と測光用の絞りとの位置精度は維持されるものの、測光レンズと測光用の絞りとの位置精度が悪くなり、測光レンズにおける光学性能が悪くなるという問題がある。
【０００５】
本発明は、ファインダスクリーンの中心と測光用の絞りとの位置精度の他に、測光レンズと測光用の絞りとの位置精度を高くすることで、測光光学系における光学性能を高性能に保持することができるようにした測光装置及び撮像装置を提供することを目的とする。
【課題を解決するための手段】
【０００６】
上述した課題を解決するために、本発明の測光装置は、対象からの光を測光する測光素子と、前記測光素子上に前記対象からの光を入射させる測光光学系と、前記測光光学系に入射する前記対象からの光を制限する絞り開口と、前記絞り開口の中心を前記測光光学系の光軸と一致させた状態で、前記測光素子、前記測光光学系及び前記絞り開口が一体に組み付けられた測光ユニットと、前記絞り開口の中心を回転中心として前記測光ユニットの傾きを調整する調整部材と、を備えたことを特徴とする。
【０００７】
また、前記測光ユニットは、前記絞り開口を有する鏡筒を備え、前記測光光学系は、前記鏡筒により前記絞り開口との位置関係が保持されることが好ましい。
【０００８】
また、前記絞り開口の中心は、前記調整部材による前記傾きの調整時における調整軸上に位置決めされていることが好ましい。
【０００９】
また、本発明の撮像装置は、前記対象からの光を結像する撮像光学系と、前記撮像光学系による像の光束を、前記測光光学系を介して前記測光素子上に再結像させる上述した測光装置と、を備えたことを特徴とする。
【００１０】
また、前記測光素子は、複数の受光素子が二次元状に配列されており、前記複数の受光素子のうちの一部を、前記測光ユニットにおける測光範囲として設定する設定手段を、さらに備えていることが好ましい。
【発明の効果】
【００１１】
本発明によれば、ファインダスクリーンの中心と測光用の絞りとの位置精度の他に、測光レンズと測光用の絞りとの位置精度を高くすることができ、結果的に測光素子の周辺光量のばらつきを抑えつつ、測光光学系における光学性能を高性能に保持することができる。
【図面の簡単な説明】
【００１２】
【図１】電子カメラの構成を示す図である。
【図２】測光ユニットの構成を示す断面図である。
【図３】図３（ａ）は測光ユニットの上部平面図を、図３（ｂ）は、図３（ａ）に示すＦ−Ｆ断面図である。
【図４】ファインダスクリーンの中心と、測光素子の中心との関係を示す図である。
【発明を実施するための形態】
【００１３】
図１は、本実施形態の撮影装置の一例としての電子カメラ１０の概略を示す。電子カメラ１０は、カメラ本体１１と、該カメラ本体１１に着脱可能なレンズユニット１２とから構成される。カメラ本体１１とレンズユニット１２とには、雄雌の関係をなす一対のマウント１３，１４がそれぞれ設けられている。カメラ本体１１にレンズユニット１２を装着する際には、レンズユニット１２に設けられたマウント１４をバヨネット機構等でカメラ本体１１のマウント１３に結合する。また、これらマウント１３，１４にはそれぞれ電気接点が設けられている。レンズユニット１２をカメラ本体１１に装着したときには、それぞれのマウント１３，１４に設けられた電気接点が接触し、両者の電気的な接続が確立される。
【００１４】
次に、レンズユニット１２の構成を説明する。レンズユニット１２は、撮像光学系２１、ズームエンコーダ２２、レンズ駆動部２３、絞り２４、絞り駆動部２５、及びレンズマイコン２６等を有している。なお、ズームエンコーダ２２、レンズ駆動部２３及び絞り駆動部２５は、それぞれレンズマイコン２６に接続されている。
【００１５】
撮像光学系２１は、ズームレンズ２１ａやフォーカスレンズ２１ｂ等の複数のレンズから構成される。ズームレンズ２１ａは焦点距離を調整するためのレンズであって、ズーム環の操作に応じて光軸Ｌ１方向に移動可能となる。ズームエンコーダ２１ａはズームレンズ２１ａに取り付けられ、ズームレンズ２１ａの光軸Ｌ１方向の位置を検出する。フォーカスレンズ２１ｂは合焦位置を調節するためのレンズであって、光軸Ｌ１方向に移動可能となる。レンズ駆動部２３はフォーカスレンズ２１ｂを光軸Ｌ１方向に駆動させる。このフォーカスレンズ２１ｂには、光軸Ｌ１方向の位置を検出する距離エンコーダが取り付けられている。ズームエンコーダ２２や距離エンコーダからの検出信号はレンズマイコン２６に出力される。レンズマイコン２６は、これら検出信号を受けて、撮影時の撮影距離や焦点距離を算出する。これら算出された値は、カメラ本体１１に出力される。
【００１６】
絞り２４は、カメラ本体１１への入射光量を絞り羽根の開閉で調整する。絞り駆動部２５は、絞り２４の開口度を制御する。レンズマイコン２６は、マウント１３，１４の電気接点を介してカメラ本体１１との通信を行うとともに、レンズユニット１２での各種制御を実行する。また、レンズマイコン２６は、ＲＯＭ（図示省略）に記録されたレンズデータなどをカメラ本体１１に送信する。
【００１７】
ところで、図１に示すレンズユニット１２は一般的なズームレンズユニットの構成の一例にすぎない。そのため、カメラ本体１１には、上記のレンズユニット１２のほかにも、例えばレンズマイコンを有しないレンズユニット１２や、単焦点レンズのレンズユニット１２などを装着することが可能である。
【００１８】
また、レンズユニット１２がカメラ本体１１に着脱自在な、所謂一眼レフタイプの電子カメラ１０の例を取り上げているが、これに限定する必要はなく、レンズユニット１２がカメラ本体１１に固定される、所謂コンパクトタイプの電子カメラ１０であってもよい。
【００１９】
次に、カメラ本体１１の構成を説明する。カメラ本体１１は、クイックリターンミラー３１、メカニカルシャッタ３２、撮像素子３３、サブミラー３４、焦点検出部３５、ファインダ光学系及び測光装置３６等を備えている。なお、図１においては、カメラ本体１１については電気的な構成については省略してある。
【００２０】
クイックリターンミラー３１、メカニカルシャッタ３２及び撮像素子３３は、撮像光学系２１の光軸Ｌ１に沿って配置される。クイックリターンミラー３１の後方にはサブミラー３４が配置される。また、カメラ本体１１の上部にはファインダ光学系、測光装置３６が配置される。さらに、カメラ本体１１の下部領域には焦点検出部３５が配置される。
【００２１】
クイックリターンミラー３１は、回動軸３１ａを中心にして回動可能に軸支されており、実線に示す観察状態と、光軸Ｌ１から退避した退避状態との間で切り替え可能となっている。観察状態のクイックリターンミラー３１は、メカニカルシャッタ３２及び撮像素子３３の前方で傾斜配置される。この観察状態にあるクイックリターンミラー３１は、撮像光学系２１を通過した光束を上方へ（光軸Ｌ３方向に）反射してファインダ光学系に導く。このクイックリターンミラー３１の中央部はハーフミラーとなっており、このクイックリターンミラー３１を透過した一部の光束は、サブミラー３４によって下方に（光軸Ｌ２方向に）反射し、焦点検出部３５に導かれる。なお、焦点検出部３５は、不図示のセパレータレンズで分割された被写体像の像ズレ量を各々のＡＦエリア毎に検出する、いわゆる位相差検出式の焦点検出を行う。
【００２２】
一方、退避状態のクイックリターンミラー３１は、サブミラー３４とともに上方に跳ね上げられて撮影光路から外れた位置まで回動する。クイックリターンミラー３１が退避状態にあるときは、撮像光学系２１を通過した光束がメカニカルシャッタ３２及び撮像素子３３に導かれる。
【００２３】
ファインダ光学系は、ファインダスクリーン（焦点板）４１、コンデンサレンズ４２、ペンタプリズム４３及び接眼レンズ４４を備えている。なお、符号４５は接眼窓である。ファインダスクリーン４１はクイックリターンミラー３１の上方に位置する。このファインダスクリーン４１には観察状態のクイックリターンミラー３１で反射された光束が結像される。ファインダスクリーン４１にて結像した光束はコンデンサレンズ４２及びペンタプリズム４３を通過し、ペンタプリズム４３の入射面に対して９０°の角度を有する射出面に導かれる。そして、ペンタプリズム４３の射出面からの光束は、接眼レンズ４４を透過した後、接眼窓４５を介してユーザの目に到達する。
【００２４】
ファインダスクリーン４１にて結像した光束の一部は、ペンタプリズム４３を通過した後、三角プリズム４６を介して測光装置３６に入射される。なお、ファインダスクリーン４１から接眼レンズ４４に到達する光束の光軸をＬ３、測光装置３６に入射される光束の光軸をＬ４とすると、光軸Ｌ４は、光軸Ｌ３に対して角度θ傾斜している。
【００２５】
測光装置３６は、被写体光の測光を行う他、顔検出や被写体の追尾などの処理を行う際に用いられる。この測光装置３６は、測光絞り５１、測光光学系５２、ＩＲカットフィルタ５３及び測光素子５４を備えている。測光絞り５１は、その中心に開口（以下、絞り開口）５１ａが設けられており、三角プリズム４６から射出される光束の光量を調整する。測光光学系５２は、測光絞り５１に設けられた絞り開口５１ａを通過した光束を透過させ、測光素子５４の受光面５４ａに再結像させる。以下では、測光光学系５２として２つのレンズ（図２中、測光レンズ６３，６４）から構成される場合について説明する。ＩＲカットフィルタ５３は、赤外光を吸収し、他の周波数領域の光を透過させる。測光素子５４は、その受光面にて再結像された光束を受光する。この測光素子５４としては、複数のフォトダイオードが二次元状に配列されたＣＣＤイメージセンサやＣＭＯＳイメージセンサが用いられる。なお、この測光素子５４は、上述した顔検出や被写体の追尾などの処理が実行可能な画素数のものが用いられる。
【００２６】
次に、図２及び図３を用いて、本実施形態の測光装置３６の構成について説明する。本実施形態の測光装置３６は、測光ユニット６０及びスペーサー６１とから構成される。以下では、測光装置３６を構成する測光ユニット６０とスペーサー６１とが分離されている場合について説明する。
【００２７】
測光ユニット６０は、上述した測光絞り５１、測光光学系５２、ＩＲカットフィルタ５３、測光素子５４、レンズ鏡筒５５の他に、これら部材が一体に組み付けられるホルダ５６から構成される。上述した部材のうち、レンズ鏡筒５５は開口５５ａを有しており、この開口５５ａが絞り開口５１ａとなる。つまり、レンズ鏡筒５５が、測光光学系５２を保持する機能の他に、上述した絞り５１の機能を兼用している。
【００２８】
測光ユニット６０を構成するＩＲカットフィルタ５３及び測光素子５４は、ホルダ５６の傾斜面５６ａに設けられた凹部６１に、ＩＲカットフィルタ５３、測光素子５４の順でそれぞれ固着される。一方、測光光学系５２を構成する測光レンズ６３，６４は、レンズ鏡筒５５の内部に位置決め保持される。なお、測光レンズ６３，６４が位置決め保持されたレンズ鏡筒５５は、ホルダ５６に固着される。
【００２９】
測光ユニット６０が完成した状態では、測光光学系５２を構成する測光レンズ６３，６４は、レンズ鏡筒５５とホルダ５６に挟持される。これら測光レンズ６３，６４のうち、測光レンズ６３は、光軸Ｌ４方向における端面のうち、三角プリズム４６側の端面６３ａがレンズ鏡筒５５の面５５ａと当接される。また、端面６３ａとは反対側の端面６３ｂは、測光レンズ６４に設けられた凹部６４ａの底面６４ｂと当接される。さらに、測光レンズの面６３ｃは、測光レンズ６４の溝部６４ａの側面６４ｃと当接される。
【００３０】
一方、測光レンズ６４は、測光素子５４側の端面６４ｄの外縁部がホルダ５６の凹部６５に設けられた面６５ａに当接される。また、測光レンズ６４の側面６４ｅのうち、測光素子５４側の端部がホルダ５６に設けられた凹部６５の壁面６５ｂに当接される。さらに、測光レンズ６４の側面６４ｅのうち、三角プリズム４６側の端部は、レンズ鏡筒５５の壁面５５ｂに当接される。
【００３１】
これら測光レンズ６３、６４が保持された状態では、光軸Ｌ４方向における測光レンズ６３，６４及びレンズ鏡筒５５に設けられた開口５５ａの相対位置が固定される。また、測光光学系５２の光軸に直交する平面における、測光光学系５２の位置やレンズ鏡筒５５に設けられた開口５５ａの位置が固定される。つまり、測光レンズ６３及び測光レンズ６４の光軸が一致し、この光軸上にレンズ鏡筒５５に設けられた開口５５ａの中心Ｃが位置する。
【００３２】
上述した構成の測光ユニット６０は、カメラ本体１１に設けられたフレーム７０に位置決めされる。この位置決めの後、測光ユニット６０に対する傾き調整がされた後、固着される。上述したホルダ５６には、フレーム７０の上面に設けられた位置決め用の突起７１ａ、７１ｂ、７１ｃがそれぞれ挿通される係合孔７２ａ、７２ｂ、７２ｃが３カ所に設けられている。図３（ａ）に示す上面平面図において、係合孔７２ａと係合孔７２ｂとは、それら孔の中心を結ぶ直線ＭがＸ方向に平行な直線となるように配置される。また、これら係合孔７２ａ、７２ｂは、係合孔７２ａの中心と係合孔７２ｂの中心を結ぶ直線Ｍの中点に、開口５５ａの中心Ｃが位置するように配置される。また、係合孔７２ａ及び係合孔７２ｃは、それら中心を結ぶ直線ＮがＹ方向に平行な直線となるように配置される。つまり、直線Ｍと直線Ｎとは直交する２つの直線となる。
【００３３】
カメラ本体１１のフレーム７０には、上述した測光ユニット６０に設けられた係合孔７２ａ、７２ｂ、７２ｃに挿通される位置決め用の突起７１ａ、７１ｂ、７１ｃが設けられている。これら突起７１ａ、７１ｂ、７１ｃの配置関係は、係合孔７２ａ、７２ｂ、７２ｃと同様の位置関係となる。これら位置決め用の突起７１ａ、７１ｂ、７１ｃには、上述したスペーサー６１が複数枚嵌め込まれた後、測光ユニット６０に設けられた係合孔７２ａ、７２ｂ、７２ｃにそれぞれ挿通される。これにより、測光ユニット６０が位置決めされる。
【００３４】
次に、上述した測光ユニット６０の傾き調整について説明する。この測光ユニット６０の傾き調整は、測光素子５４における測光範囲８１の中心８１ａがファインダスクリーン４１の中心４１ａに一致させるために、測光範囲８１の中心８１ａをＸ方向又はＹ方向の少なくとも一方向に移動させることで実行される。上述したように、フレーム７０に設けられた位置決め用の突起７１ａ、７１ｂ、７１ｃのそれぞれにはスペーサー６１を介して測光ユニット６０が位置決めされる。上述した測光ユニット６０の傾き調整は、これら突起７１ａ、７１ｂ、７１ｃのそれぞれに嵌め込まれたスペーサー６１の厚さを調整することで実行される。なお、スペーサー６１は、同一の厚さ、又は複数種類の厚さのものが使用され、これらを複数重ねることでスペーサー６１の厚さが調整される。
【００３５】
図４に示すように、フレーム７０に位置決めされた測光ユニット６０を用いて、チャート紙などを撮影した場合、測光素子５４における測光範囲８１の中心８１ａが、Ｘ方向及びＹ方向の両方向において、ファインダスクリーン４１の中心４１ａからずれていると仮定する。図３（ｂ）に示すように、測光ユニット６０をフレーム７０に位置決めした状態では、開口５５ａの中心Ｃを通る直線Ｍは、Ｚ方向において、測光ユニット６０とフレーム７０との間に位置するスペーサー６１の厚みの範囲内に位置している。
【００３６】
測光素子５４における測光範囲８１の中心８１ａをＸ方向に移動させる場合には、下記に示す２つの処理のうちのいずれかを行う。１つ目の処理としては、位置決め用の突起７１ｂに嵌め込まれたスペーサー６１を所定の厚さ取り外すとともに、取り外したスペーサー６１と同じ厚さのスペーサー６１を位置決め用の突起７１ａ、７１ｃに嵌め込む。また、２つ目の処理としては、位置決め用の突起７１ｂに所定枚数のスペーサー６１を嵌め込み、位置決め用の突起７１ａ、７１ｃに嵌め込まれたスペーサー６１のうち、位置決め用の突起７１ｂに嵌め込んだスペーサー６１と同数のスペーサー６１を取り外す。
【００３７】
位置決めされた測光ユニット６０においては、係合孔７１ａの中心と係合孔７１ｂの中心とを結ぶ直線Ｍの中点に開口５５ａの中心Ｃがあり、位置決め用の突起７１ａ、７１ｃに抜き差しされるスペーサー６１の厚さと、位置決め用突起７１ｂに抜き差しされるスペーサー６１の厚さとが同じであることから、上述した処理のいずれかを行うことで、測光ユニット６０は、開口５５ａの中心Ｃを通り、Ｙ方向に平行な直線Ｏを調整軸として、該調整軸を中心に回転される。
【００３８】
一方、測光素子５４における測光範囲８１の中心８１ａをＹ方向に移動させる場合には、下記に示す２つの処理のうちのいずれかを行う。１つ目の処理としては位置決め用の突起７１ｃに嵌め込まれたスペーサー６１を所定の厚さ取り外すとともに、取り外したスペーサー６１と同じ厚さのスペーサー６１を位置決め用の突起７１ａ、７１ｂに嵌め込む。また、２つ目の処理としては、位置決め用の突起７１ｃに所定の厚さのスペーサー６１を嵌め込み、位置決め用の突起７１ａ、７１ｂに嵌め込まれたスペーサー６１のうち、位置決め用の突起７１ｃに嵌め込まれたスペーサー６１の厚さと同じ厚さのスペーサー６１を取り外す。
【００３９】
これら場合においては、位置決め用の突起７１ａ、７１ｂに抜き差しされるスペーサー６１の厚さと、位置決め用突起７１ｃに抜き差しされるスペーサー６１の厚さとが同じであることから、上述した処理のいずれかを行うことで、測光ユニット６０は、係合孔７２ａの中心と係合孔７２ｂの中心とを結ぶ直線Ｍを調整軸として、該調整軸を中心に回転される。つまり、上述した処理を行う測光ユニット６０の傾き調整においては、開口５５ａの中心Ｃを回転中心とした傾き調整が実行される。このような傾き調整により、ファインダスクリーン４１の中心に対して、測光絞り５１となる開口５５ａの中心Ｃの位置精度を高精度に保つことができる。この結果、被写体光を受光する測光素子５４における周辺光量落ちの発生を抑制し、測光誤差の軽減を図ることができる。また、上述した測光ユニット６０においては、測光絞り５１となる開口５５ａ、測光光学系５２、測光素子５４のそれぞれの相対位置が高精度に保持されることから、光学性能の低下を抑制できる。
【００４０】
本実施形態では、開口５５ａの中心Ｃを回転中心として調整できるように、各係合孔７１ａ、７１ｂ、７１ｃのそれぞれを設け、係合孔７１ａの中心と係合孔７１ｂとの中心を結ぶ直線Ｍ上に開口５５ａの中心Ｃを位置させるように各係合孔を設けている。しかしながら、開口５５ａの中心Ｃを回転中心とした測光ユニット６０の傾き調整を容易に行えるのであれば、各係合孔の位置は、図に示す位置に限定されるものではない。つまり、係合孔７１ａを、実線で示される位置ではなく、図３（ａ）の二点差線で示す位置（符号７１ｄに示す位置）に設けることも可能である。
【００４１】
本実施形態では、測光光学系５２を構成する測光レンズを２つの測光レンズ６３，６４としているが、これに限定される必要はなく、１つの測光レンズからなる測光光学系、又は３つ以上の測光レンズからなる測光光学系であってもよい。
【００４２】
本実施形態では、レンズ鏡筒５５に開口５５ａを設け、この開口５５ａを絞り開口としているが、これに限定する必要はなく、例えば、略筒状のレンズ鏡筒の一端側に絞り開口が形成された絞り板を固着してもよい。
【００４３】
本実施形態では、測光素子５４における測光範囲８１の中心８１ａをファインダスクリーン４１の中心４１ａに一致させるために、測光ユニット６０の傾き調整を行っている。なお、測光素子５４の受光面５４ａには複数の画素が二次元状に配列されており、これら二次元状に配列される複数の画素の一部を有効画素領域として使用している。つまり、上述した測光ユニット６０のみの傾き調整においては、測光素子５４の受光面５４ａに設けられる有効画素領域が測光範囲８１と同一の大きさに設定されることが望ましい。
【００４４】
しかしながら、測光素子５４における有効画素領域が測光範囲８１よりも大きく設定されている場合には、この限りではない。つまり、測光範囲８１の少なくとも一部が有効画素領域から外れている場合にのみ測光ユニット６０の傾き調整を行って、測光範囲を有効画素領域内に移動させる。そして、測光ユニット６０の傾き調整の後、カメラ本体１１に設けられるカメラ側マイコンにより、測光範囲として利用する範囲をソフトウェア的に調整すればよい。
【００４５】
つまり、測光素子５４の有効画素領域内に測光範囲が含まれていない場合にのみ、上述した測光ユニット５４の傾き調整を実行すればよいので、カメラ製造時における測光ユニット６０の調整工程を省略することができる。また、測光素子５４における有効画素領域のうち、使用されない画素の数を抑えながら、傾き調整における分解能を高く維持することができ、結果的に測光誤差の軽減、測光素子５４のコスト削減及び測光ユニット６０の小型化に寄与することができる。
【００４６】
本実施形態では、測光ユニット６０の傾きを調整する部材としてスペーサー６１を用いた例を取り上げているが、測光ユニット６０の傾きを調整する部材はスペーサー６１に限定されるものではなく、レンズ鏡筒５５の開口（絞り開口）５５ａの中心Ｃを回転中心とした測光ユニット６０の傾き調整を行えるのであれば、他の如何なる構成の調整装置や調整部材を用いることも可能である。
【符号の説明】
【００４７】
１０…デジタルカメラ、２１…撮像光学系、３７…測光光学系、４１…ファインダスクリーン、５１…絞り、５１ａ…絞り開口、５２…測光光学系、５３…ＩＲカットフィルタ、５４…測光素子、５５…レンズ鏡筒、５５ａ…開口、５６…ホルダ、６０…測光ユニット、６１…スペーサー、６３，６４…測光レンズ、７１ａ、７１ｂ、７１ｃ…位置決め用の突起、７２ａ、７２ｂ、７２ｃ…係合孔、
【図１】
2012002920.tif 000003
【図２】
2012002920.tif 000004
【図３】
2012002920.tif 000005
【図４】
2012002920.tif 000006